(57)【要約】【課題】洗浄液塗布、洗浄および乾燥の機能を損なうことなく、省スペース化したＰＳ版洗浄装置１０を提供することを目的とする。【解決手段】ＰＳ版洗浄装置１０は、回転体２１と、洗浄液塗布ノズル３８と、エアノズル４１とを備えている。回転体２１は回転自在に配置され、ＰＳ版１６が丸めた状態で回転体２１内に配置される。洗浄液塗布ノズル３８とエアノズル４１は回転体２１内に設けられ、洗浄液塗布ノズル３８からＰＳ版１６に洗浄液が噴射して塗布され、エアノズル４１からＰＳ版１６に乾燥エアが噴出される。【選択図】  図１
2005041031.tif 000002
【特許請求の範囲】
【請求項１】
回転自在に配置され、ＰＳ版を内部に丸めた状態で配置する回転体と、
回転体内に設けられＰＳ版に洗浄液を塗布する洗浄液塗布ノズルと、
回転体内に設けられＰＳ版に乾燥エアを噴出するエアノズルとを備えたことを特徴とするＰＳ版洗浄装置。
【請求項２】
回転体は多数の開孔を有することを特徴とする請求項１記載のＰＳ版洗浄装置。
【請求項３】
回転体を収納するケースを更に備えたことを特徴とする請求項１記載のＰＳ版洗浄装置。
【請求項４】
回転体内に取外自在に配置され、ＰＳ版を内部に丸めた状態で保持するとともに多数の開孔を有する版保持部材を更に備えたことを特徴とする請求項１記載のＰＳ版洗浄装置。
【請求項５】
ケース下部と洗浄液塗布ノズルとの間に、洗浄液を循環利用させるための配管を設け、この配管にポンプを取り付けたことを特徴とする請求項３記載のＰＳ版洗浄装置。
【請求項６】
回転体内にＰＳ版と当接する洗浄部材を設けたことを特徴とする請求項１記載のＰＳ版洗浄装置。
【請求項７】
洗浄部材はＰＳ版上で回転し、かつＰＳ版を押圧することを特徴とする請求項１記載のＰＳ版洗浄装置。
【請求項８】
エアノズルは、温風乾燥エアを噴出することを特徴とする請求項１記載のＰＳ版洗浄装置。
【請求項９】
回転体の側部の一部は開閉扉となっていることを特徴とする請求項１記載のＰＳ版洗浄装置。
【請求項１０】
回転体は円錐台形状からなることを特徴とする請求項１記載のＰＳ版洗浄装置。
【発明の詳細な説明】
【０００１】
【発明の属する技術分野】
本発明は平台印刷機で用いられるＰＳ版の洗浄装置に関する。
【０００２】
【従来の技術】
従来、平台印刷機に用いられるＰＳ版（水なし版）は、ＰＳ版を平台印刷機に取り付けたまま、手作業で洗浄されている。この場合、ＰＳ版に対して作業者が洗浄液を塗布し、その後必要に応じてブラシ等を用いて洗浄し、その後乾燥させている。
【０００３】
また、ＰＳ版を図５に示すような基板洗浄装置１を用いて洗浄することも考えられている。このような基板洗浄装置１は、搬送コンベア２上に順に配置された投入部３と、洗浄部４と、乾燥部５と、排出部６とを有している。そして、投入部３へ投入されたＰＳ版１６は、搬送コンベア２によって各部３、４、５、６に順に搬送され、自動的に洗浄されるようになっている。
【０００４】
【発明が解決しようとする課題】
しかしながら、従来の方法では、ＰＳ版を平台印刷機に取り付けたまま洗浄するので、その間平台印刷機を停止する必要があり、生産効率が大きく低下する。また、作業者は手作業でＰＳ版を洗浄するので、人手がかかるとともに洗浄の仕上がり具合が安定しない。
【０００５】
また、上述した基板洗浄装置１においては、搬送コンベア２上に投入部３、洗浄部４、乾燥部５および排出部６が直列に配置されているため、この基板洗浄装置１を用いてＰＳ版１６を洗浄する場合、基板洗浄装置１は少なくともＰＳ版４枚分のスペースを必要とする。しかしながら、このような多大なスペースを新たに確保することは非常に難しい。
【０００６】
本発明はこのような点を考慮してなされたものであり、洗浄液塗布、洗浄および乾燥の機能を損なうことなく、省スペース化したＰＳ版洗浄装置を提供することを目的とする。
【０００７】
【課題を解決するための手段】
本発明は、回転自在に配置され、ＰＳ版を内部に丸めた状態で配置する回転体と、回転体内に設けられＰＳ版に洗浄液を塗布する洗浄液塗布ノズルと、回転体内に設けられＰＳ版に乾燥エアを噴出するエアノズルとを備えたことを特徴とするＰＳ版洗浄装置である。
【０００８】
本発明は、回転体は多数の開孔を有することを特徴とするＰＳ版洗浄装置である。
【０００９】
本発明は、回転体を収納するケースを更に備えたことを特徴とするＰＳ版洗浄装置である。
【００１０】
本発明は、回転体内に取外自在に配置され、ＰＳ版を内部に丸めた状態で保持するとともに多数の開孔を有する版保持部材を更に備えたことを特徴とするＰＳ版洗浄装置である。
【００１１】
本発明は、ケース下部と洗浄液塗布ノズルとの間に、洗浄液を循環利用させるための配管を設け、この配管にポンプを取り付けたことを特徴とするＰＳ版洗浄装置である。
【００１２】
本発明は、回転体内にＰＳ版と当接する洗浄部材を設けたことを特徴とするＰＳ版洗浄装置である。
【００１３】
本発明は、洗浄部材はＰＳ版上で回転し、かつＰＳ版を押圧することを特徴とするＰＳ版洗浄装置である。
【００１４】
本発明は、エアノズルは、温風乾燥エアを噴出することを特徴とするＰＳ版洗浄装置である。
【００１５】
本発明は、回転体の側部の一部は開閉扉となっていることを特徴とするＰＳ版洗浄装置である。
【００１６】
本発明は、回転体は円錐台形状からなることを特徴とするＰＳ版洗浄装置である。
【００１７】
【発明の実施の形態】
第１の実施の形態
以下、図面を参照して本発明の第１の実施の形態について説明する。図１および図２は本発明によるＰＳ版洗浄装置１０の第１の実施の形態を示す図である。このうち図１はＰＳ版洗浄装置１０を示す斜視図であって便宜的に配管類を省略した図であり、図２はＰＳ版洗浄装置１０の概略を示す模式図である。
【００１８】
図１および図２に示すように、ＰＳ版洗浄装置１０はケース１１と、ケース１１内に回転自在に配置された回転体２１と、ＰＳ版１６を丸めた状態で保持するとともに回転体２１内に配置された版保持部材２６と、回転体２１の下方に配置されたタンク３０とを備えている。また、版保持部材２６内には、ＰＳ版１６に洗浄液を塗布する洗浄液塗布ノズル３８と、ＰＳ版１６に乾燥エアを噴出するエアノズル４１と、ＰＳ版１６を洗浄する洗浄ブラシ（洗浄部材）５１とが配置されている。
【００１９】
上述したケース１１は洗浄液の飛散等を防止するものであり、密閉された箱状であって、洗浄液に対して耐食性を有する材料からなっている。また、ケース１１の正面１１ａ（図１における手前の面）には、図示しない扉が設けられている。
【００２０】
回転体２１は、一対の輪２１ａと、この一対の輪２１ａに連結された多数の細長い直線部材２１ｂとからなり、全体として円筒状の枠体を構成し、細長い直線部材２１ｂ間に多数の開孔２１ｃが形成されている。また、回転体２１は必要に応じてリブ等によって補強されている。回転体２１の輪２１ａは、ケース１１に固着されたベアリング２２によって支持され、このようにして回転体２１はケース１１内に回転自在に配置されている。回転体２１の径は、後述するように回転体２１内部に配置する版保持部材２６の径より大きく、回転体２１の幅は、後述するように回転体２１内部に版保持部材２６を固定できる範囲となっている。また、回転体２１は、洗浄液に対して耐食性を有する材料からなっている。
【００２１】
ケース１１の奥側の面１１ｂには、回転数が可変となるモーター１２と、モーター１２によって駆動するギヤ１３とが設けられている。回転体２１の一方の輪２１ａには、ギヤ１３に噛み合う歯車２３が設けられ、モーター１２の回転はギヤ１３を介して回転体２１に伝達され、これにより回転体２１は軸心を中心として回転する。
【００２２】
版保持部材２６は、回転体２１と同様に複数の円形輪２６ａと、輪２６ａに連結された多数の細長い直線部材２６ｂとからなり、全体として円筒状の枠体を構成し、直線部材２６ｂ間に多数の開孔２６ｃが形成されている。版保持部材２６は回転体２１内に収納され、かつ回転体２１から取り外し自在となっている。したがって回転体２１内に版保持部材２６を固定した場合、版保持部材２６は回転体２１にともなって回転することができる。また、版保持部材２６内には、図示しないワンタッチ式固定金具が設けてあり、内側側面に沿うようにしてＰＳ版１６を固定することができる。
【００２３】
版保持部材２６の径は、ＰＳ版１６が版保持部材２６内で重なることがなく配置されるよう、版保持部材２６の円周長さがＰＳ版１６の長手方向長さより長くなるように決定される。例えば、版保持部材２６の直径は、最短でＰＳ版１６の長手方向長さの３分の１程度とすることができる。版保持部材２６の幅は、版保持部材２６内にＰＳ版１６を固定できるように、ＰＳ版１６の幅と同程度となっている。また、版保持部材２６は、洗浄液に対して耐食性を有する材料からなっている。
【００２４】
図２に示すように、版保持部材２６の内側には、ＰＳ版１６に洗浄液を塗布する洗浄液塗布ノズル３８と、ＰＳ版１６に乾燥エアを噴出するエアノズル４１と、ＰＳ版１６を洗浄する洗浄ブラシ５１とが配置されている。
【００２５】
洗浄液塗布ノズル３８は、ＰＳ版１６の回転軸と平行して延びる管４０からなり、管４０には管４０の軸に沿って一列に並んだ多数の吐出口３９が設けられている。洗浄液塗布ノズル３８の一端はケース１１の奥側の面１１ｂに配置された洗浄液配管３６に図示しないカプラーを介して取外自在に連結されている。また洗浄液塗布ノズル３６はその軸を中心として回転するようになっている。洗浄液配管３６はバルブ３７を介して洗浄液源３５に連通され、バルブ３７を開くと洗浄液塗布ノズル３８の吐出口３９から洗浄液が噴射して塗布される。
【００２６】
洗浄液塗布ノズル３８の管４０の長さおよびの吐出口３９の数は、特に限定されるものではなく、また各吐出口３９を管４０に屈曲自在の連結部を介して接続してもよい。
【００２７】
ＰＳ版１６に塗布された洗浄液を液切りするために乾燥エアを噴出するエアノズル４１は、ＰＳ版１６の回転軸に平行して延びる管４３からなり、管４３には管４３の軸に沿った細長い噴出口４２が設けられている。エアノズル４１の一端はケース１１の奥側の面１１ｂに配置されたエア配管４４に、図示しないカプラーによって取外自在に連結されている。またエアノズル４１はその軸を中心として回転するようになっている。エア配管４４はバルブ４５を介して圧力源４６に連通され、バルブ４５を開くとエアノズル４１の噴出口４２から乾燥エアが噴出される。エア配管４４は加熱機構４７を有しており、この加熱機構４７によってエア配管４４を通過する乾燥エアが温められ、エアノズル４１の噴出口４２から温風乾燥エアが噴出する。エアノズル４１の管４３の長さは特に限定されないが、本実施の形態においてはＰＳ版１６の幅と同程度となっており、ＰＳ版１６の全幅にわたって液切りすることができる。
【００２８】
洗浄ブラシ５１は、ＰＳ版１６に当接しＰＳ版１６を洗浄するものであり、ケース１１の奥側の面１１ｂに設けられた図示しない駆動装置に取外自在に固定されている。この駆動装置は、洗浄ブラシ５１を所望の回転速度で回転させ、かつ所望の力で洗浄ブラシ５１をＰＳ版１６に押圧する。また、洗浄ブラシ５１は版保持部材２６の内側面に沿って版保持部材２６の円周方向に所望の速度で揺動するようになっている。洗浄ブラシ５１の長さは、ＰＳ版１６の全幅にわたって洗浄できるように、ＰＳ版１６の幅と同程度としている。
【００２９】
上述した洗浄液塗布ノズル３８、エアノズル４１および洗浄ブラシ５１の版保持部材２６内における配置位置について特に制限はないが、図２に示すように本実施の実施の形態においては、洗浄液の最も溜まりやすい版保持部材２６内側の最下部に洗浄ブラシ５１が配置されている。また、洗浄ブラシ５１に対してＰＳ版１６の回転方向（図２おける時計回り方向）上流側に洗浄液塗布ノズル３８が配置され、洗浄ブラシ５１の下流側にエアノズル４１が配置されている。
【００３０】
また、ケース１１内の回転体２１の下方には、洗浄液を回収するためのタンク３０が設けられている。タンク３０の底面には排水口３１が設けられ、この排水口３１は、配管３２によってポンプ３３およびフィルタ３４を介して洗浄液源３５まで通じており、これらのポンプ３３およびフィルタ３４はケース１１の下部に配置されている。なお、タンク３０を設けず、ケース１１下面に排水口３１を設けケース１１下面によって使用済みの洗浄液を回収してもよい。
【００３１】
以上のように構成されるＰＳ版洗浄装置１０において、版保持部材２６の径と幅は、ＰＳ版１６の形状に基づいて決定される。この場合、版保持部材２６の幅はＰＳ版１６の幅と同程度であれば充分であり、版保持部材２６の直径は最短でＰＳ版１６の長手方向長さの３分の１程度となる。また版保持部材２６を固定する回転体２１の寸法は、版保持部材２６の寸法よりわずかに大きくなっていれば充分であり、版保持部材２６の形状と大きく寸法が変わることはない。またケース１１内に収納されるタンク３０の大きさはケース１１の大きさに応じて決定することができる。また、ＰＳ版洗浄装置１０のポンプ３３や配管類は、ケース１１の大きさに比べて充分小さいので、ケース１１の下方に配置することができる。したがって、ケース１１の大きさは回転体２１を収納できる程度のものであれば充分であり、ＰＳ版洗浄装置１０の大きさは、ＰＳ版１枚分の大きさ以下にすることもできる。
【００３２】
次にこのような構成からなる本実施の形態の作用について説明する。
【００３３】
まず、ケース１１の正面１１ａ側に設けられた図示しない扉を開き、回転体２１内に固定されている版保持部材２６を取り出し、版保持部材２６内にＰＳ版１６を取り付ける。版保持部材２６内にＰＳ版１６を取り付けるにあたって、平板状からなるＰＳ版１６の版の表面を内側にして版保持部材２６の径より小さく丸め、版保持部材２６の端部から版保持部材２６内に挿入する。ＰＳ版１６を版保持部材２６内で手から離すと、ＰＳ版１６は元の平板状に戻ろうとし、版保持部材２６の内側側面に沿うように配置される。ＰＳ版１６を版保持部材２６内に位置決めした後、図示しないワンタッチ式固定金具によってＰＳ版１６を固定する。このように、版保持部材２６内にＰＳ版１６を取り付けることにより、ＰＳ版１６を直接回転体２１内に収納する場合に比較して作業性が向上する。
【００３４】
次に、ＰＳ版１６を固定した版保持部材２６を回転体２１内に収納して固定する。そして、洗浄液塗布ノズル３８を洗浄液配管３６に対して回転させ、ＰＳ版１６に対する洗浄液の噴射方向を調整する。同様にエアノズル４１をエア配管４４に対して回転させ、乾燥エアの噴出方向を調整した後、ケース１１の扉を閉じる。
【００３５】
次に、ＰＳ版１６の洗浄を開始する。まずモーター１２を駆動し、ギヤ１３を介して、ＰＳ版１６を内側に固定した版保持部材２６とともに回転体２１を回転させる。同時にバルブ３７を開いて洗浄液源３５から供給される洗浄液を洗浄液塗布ノズル３８から洗浄液をＰＳ版１６に向けて噴射して塗布する。ＰＳ版１６は回転体２１にともなって回転しているため、洗浄液塗布ノズル３８から洗浄液を塗布するだけでＰＳ版１６の全面に洗浄液を供給することができ、ＰＳ版１６全面の汚れが除去される。また、回転体２１と版保持部材２６とは枠体からなり、各々の側部に多数の開孔２１ｃ、２６ｃを有するので、ＰＳ版１６を洗浄した後の洗浄液は開孔２１ｃ、２６ｃを通り、回転体２１の下方に配置されたタンク３０に回収される。
【００３６】
タンク３０に回収された洗浄液は、ポンプ３３によってフィルタ３４を経由し、このフィルタ３４により汚れが除去された後、洗浄液源３５まで圧送される。このようにして、タンク３０に回収された洗浄液はフィルタ３４により汚れが除去され、循環して再利用される。なお、洗浄中、ＰＳ版１６の汚れが最も落ちやすいように、回転体２１の回転速度、およびバルブによって洗浄液の塗布量を調整する。
【００３７】
本実施の形態によれば洗浄液塗布ノズル３８からの洗浄液の塗布に加えて、さらに洗浄ブラシ５１を用いてＰＳ版１６を洗浄することができる。すなわち、洗浄ブラシ５１は、ケース１１の奥側の面１１ｂに設けられた図示しない駆動装置に取り付けられ、洗浄ブラシ５１は洗浄液塗布ノズル３８の下流側であって、版保持部材２６内の最下部に配置されている。洗浄液塗布ノズル３８により噴射された洗浄液は、洗浄ブラシ５１側へ流れ込むので、ＰＳ版１６を洗浄ブラシ５１により効果的に洗浄することができる。
【００３８】
また、洗浄ブラシ５１を保持する駆動装置は、所望の回転速度で洗浄ブラシ５１を回転させ、かつ所望の力で洗浄ブラシ５１をＰＳ版１６に押圧する。同時に図示しない駆動装置は洗浄ブラシ５１を版保持部材２６の内側に固定されたＰＳ版１６の内側面を沿うよう所望の速度で揺動させる。このようにして、洗浄ブラシ５１によりＰＳ版１６を効果的に洗浄して、複雑な凹凸のあるＰＳ版１６のほとんどの汚れを除去することができ、また洗浄に要する時間を短縮することができる。
【００３９】
なお、洗浄ブラシ５１は必ずしも使用する必要はなく、洗浄液塗布ノズル３８からの洗浄液の噴射のみでＰＳ版１６を洗浄してもよい。
【００４０】
ＰＳ版１６の汚れを落とした後、事前に乾燥エアの噴出方向を調整したエアノズル４１から加熱機構４７により温められた温風乾燥エアを噴出し、ＰＳ版１６に塗布された洗浄液を乾燥させる。エアノズル４１は、図２に示すように乾燥エアの噴出方向がＰＳ版１６の進行方向と反対向きとなるように調整しておくことが好ましい。エアノズル４１は、版保持部材２６内の最下部より、ＰＳ版１６の回転方向下流側に配置されている。このため、ＰＳ版１６上の洗浄液が重力により自然に落下する方向と、乾燥エアの噴出方向が一致して効果的に洗浄液の液切りを行うことができるからである。
【００４１】
洗浄液を液切りする際、バルブ４５を開きエアノズル４１から乾燥エアをＰＳ版１６に向けて噴出するとともに、回転体２１の回転速度を所望の速度に調整する。これによって複雑な凹凸のあるＰＳ版１６上の洗浄液を効果的に液切りすることができる。
【００４２】
ＰＳ版１６の液切りが終わった後、モーター１２を止めて回転体２１の回転を止める。次に、版保持部材２６を回転体２１から抜き出し、版保持部材２６から洗浄されたＰＳ版１６を取り出す。また、必要に応じて次回の洗浄に備え、洗浄ブラシ５１を取り外して洗浄しておく。
【００４３】
以上のように本実施の形態によれば、ＰＳ版１６をその版の表面を内側に向けて丸めた状態で保持し、内側から洗浄液を塗布し、洗浄し、液切りすることができる。この間、ＰＳ版１６は回転しているので洗浄液は全体に行き渡り、全体をまんべんなく洗浄し、効率的に液切りすることができる。また、ＰＳ版洗浄装置１０を大幅に省スペース化することができる。
【００４４】
なお、本実施の形態において洗浄液塗布ノズル３８として、一列に並んだ多数の吐出口３９を有する１本の管４０からなるものを例示したが、これに限らず洗浄液塗布ノズル３８を屈曲自在の管からなる複数のノズルから構成してもよい。また、洗浄液塗布ノズル３８を１種類に限定せず多様な洗浄液塗布ノズル３８を用意しておき、ＰＳ版１６の汚れ状態等に応じて適当なものを選択して使用するようにしてもよい。
【００４５】
また、本実施の形態においてエアノズル４１として細長い噴出口４２を有する１本の管４３からなるものを例示したが、これに限らずエアノズル４１を屈曲自在の管からなる複数のノズルから構成してもよく、一列に並んだ多数の噴出口を有する１本の管からなるもの用いてもよい。また、エアノズル４１を１種類に限定せず多様なエアノズル４１を用意しておき、ＰＳ版１６の版の表面の凹凸等に応じて適当なものを選択して使用するようにしてもよい。
【００４６】
さらに、本実施の形態において、洗浄部材として洗浄ブラシ５１を用いた例を示したが、これに限らず洗浄ブラシ５１の代わりにスポンジ状やパット状等の洗浄部材を用いてもよい。
【００４７】
さらにまた、回転体２１の駆動方法としてギヤ１３と歯車２３とを噛み合わせた例を示したが、歯車２３の代わりに輪２１ａにＶベルトを嵌め込むプーリー溝を設け、このプーリー溝に嵌め込まれたＶベルトによってモーター１２の回転を回転体２１に伝達してもよい。
【００４８】
また、本実施の形態において、図１および図２に示すように回転体２１および版保持部材２６の回転軸を水平方向に配置した例を示したが、これに限らず回転体２１および版保持部材２６の回転軸を傾けたり、垂直となるように配置してもよい。このようにした場合、洗浄液が重力によってＰＳ版１６上を下方に流れるため、洗浄中においては常にＰＳ版上に洗浄液の流れを生じさすことができ、かつ液切りを迅速に行うことができる。さらに、回転体２１および版保持部材２６の回転軸を垂直となるように配置した場合、ケース１１の奥行き方向の幅も薄くすることができ、さらなる省スペース化を達成することができる。
【００４９】
第２の実施の形態
次に図３により本発明によるＰＳ版洗浄装置１０の第２の実施の形態について説明する。図３はＰＳ版洗浄装置１０の斜視図であって便宜的に配管類を省略した図である。なお、図３に示す第２の実施の形態において図１および図２に示す第１の実施の形態と同一部分には同一符号を付して詳細な説明は省略する。
【００５０】
図３に示すように、ＰＳ版洗浄装置１０はケース１１と、ＰＳ版１６を丸めた状態で保持するとともにケース１１内に回転自在に配置された回転体２１と、回転体２１の下方に配置されたタンク３０とを備えている。また、回転体２１内には、ＰＳ版１６に洗浄液を噴射して塗布する洗浄液塗布ノズル３８と、ＰＳ版１６に乾燥エアを噴出するエアノズル４１と、ＰＳ版１６を洗浄する洗浄ブラシ５１とが配置されている。
【００５１】
本実施の形態において、ＰＳ版１６は版保持部材２６を介さず、直接回転体２１に取付固定することができる。すなわち、図３に示すように円筒状の回転体２１は側部に開閉扉２４を有しており、その開閉扉２４を開いてＰＳ版１６を回転体２１内に入れ、回転体２１の内面に沿うようにＰＳ版１６を配置することができる。
【００５２】
開閉扉２４は、回転体２１の構造と略同一となっている。すなわち、開閉扉２４は、回転体２１の一対の輪２１ａの内側に隣接して配置された一対の円弧状の部材２４ａと、この一対の部材２４ａに連結された多数の細長い直線部材２４ｂとからなり、細長い直線部材２４ｂ間に多数の開孔２４ｃが形成されている。また、開閉扉２４の開閉軸２４ｄは回転体２１の回転軸と平行となっている。回転体２１内には、図示しないワンタッチ式固定金具が設けてあり、内側側面に沿うようにしてＰＳ版１６を固定することができるようになっている。
【００５３】
また、本実施の形態においては第１の実施の形態と異なり、ケースは、図３において左側の側面１１ｃと上面１１ｄとの両面にまたがる扉を有し、このケース１１の扉を開いた場合、図３に示すように回転体２１の開閉扉２４を開いても、開閉扉２４とケース１１とが接触することはない。
【００５４】
図３において、まずケース１１の側面１１ｃと上面１１ｄとにまたがる図示しない扉を開く。次に回転体２１の開閉扉２４がケース１１の開口に対応する位置に来るよう、回転体２１を回転させ、次に回転体２１の開閉扉２４を開く。次に開口した開閉扉２４から、ＰＳ版１６の版の表面を半径方向内側とし、回転体２１の内面に沿うよう回転体２１内にＰＳ版１６を差し込んでいき、回転体２１内でＰＳ版１６を位置決めする。そして、図示しない固定金具によってＰＳ版１６を回転体２１内に固定し、洗浄液塗布ノズル３８およびエアノズル４１の向きを調整した後、回転体２１の開閉扉２４を閉める。
【００５５】
次にケース１１の扉を閉め、第１の実施の形態と同様にしてＰＳ版１６の洗浄を行う。ＰＳ版１６の洗浄が終わった後、ＰＳ版１６を回転体２１に固定した手順と逆の手順で、回転体２１からＰＳ版１６を取り外す。
【００５６】
なお、本実施の形態において、洗浄液塗布ノズル３８、エアノズル４１、および洗浄ブラシ５１の取付、取外、および調整は、回転体２１の開閉扉２４を開いた状態で行われる。
【００５７】
以上のように本実施の形態によれば、ＰＳ版洗浄装置１０の構造が簡単となり、装置全体をコンパクトにすることができる。
【００５８】
また、ケース１１の正面１１ａに扉を設ける必要がないため、回転体２１、洗浄液塗布ノズル３８、エアノズル４１および洗浄ブラシ５１の軸端をケース１１の正面１１ａで受けることができ、ＰＳ版洗浄装置１０全体の剛性を高めることができる。
【００５９】
なお、本実施の形態において、図３に示すように上側に開閉軸２４ｄを配置し、下方から開閉扉２４を開く例を示したが、これに限らず、開閉扉２４の下側に開閉軸２４ｄを配置し、開閉扉２４ｄを上方から開くようにしてもい。
【００６０】
第３の実施の形態
次に本発明によるＰＳ版洗浄装置１０の第３の実施の形態について説明する。図４はＰＳ版洗浄装置１０の回転体２１と版保持部材２６とを示す斜視図である。本実施に形態においては、第１の実施の形態と同様にＰＳ版洗浄装置１０はケース１１と、ケース１１内に回転自在に配置された回転体２１と、ＰＳ版１６を丸めた状態で保持するとともに回転体２１内に配置された版保持部材２６と、回転体２１の下方に配置されたタンク３０とを備えている。また、版保持部材２６内には、ＰＳ版１６に洗浄液を塗布する洗浄液塗布ノズル３８と、ＰＳ版１６に乾燥エアを噴出するエアノズル４１と、ＰＳ版１６を洗浄する洗浄ブラシ５１とが配置されている。
【００６１】
図４において、第１の実施の形態と異なり、回転体２１と版保持部材２６は図４に示すような円錐台形状に構成されている。回転体２１は、回転体２１の径の大きい面２１ｅをケース１１の正面１１ａ側に向け（図１参照）、径の小さい面２１ｆをケース１１の奥側の面１１ｂ側に向け、回転体２１の軸心を中心として回転自在にケース１１に支持されている。
【００６２】
回転体２１内に収納される版保持部材２６も、上述のように回転体２１の形状に対応して円錐台形状に構成されており、版保持部材２６を回転体２１内に固定した場合、版保持部材２６の軸心と回転体２１の軸心とは一致するようになっている。また、版保持部材２６内には、図示しないワンタッチ式固定金具が設けてあり、内側側面に沿うようにしてＰＳ版１６を固定することができるようになっている。
【００６３】
版保持部材２６の径の小さい面２６ｆの径は、ＰＳ版１６を版保持部材２６内で重なることがなく収納できるよう、面２６ｆの円周長さがＰＳ版１６の長手方向長さより長くなるように決定される。また版保持部材２６の円錐台の軸心に対する側面のテーパー角度と版保持部材２６の幅とは、ＰＳ版１６を版保持部材２６の内側に配置した際、ＰＳ版１６が版保持部材２６からはみ出してケース１１に接触することのないよう決定される。また、ＰＳ版１６の大きさを元にして決定された版保持部材２６の寸法に合わせて、回転体２１の寸法が定められる。
【００６４】
ＰＳ版１６を洗浄する洗浄ブラシ３６は、版保持部材２６に当接したとき、版保持部材２６の側面と平行となるように、版保持部材２６内側に傾けて取り付けられている。
【００６５】
図４において、その他の構成は図１および図２に示す第１の実施の形態と略同一となっている。
【００６６】
図４に示すように、まずＰＳ版洗浄装置１０にＰＳ版１６を取り付けるため、ＰＳ版１６を版保持部材２６に固定し、版保持部材２６を回転体２１内に収納し固定する。この際、回転体２１の径の大きい面２１ｅに、版保持部材２６の径の小さい面２６ｆを挿入して行くので、版保持部材２６の挿入作業が簡単である。
【００６７】
ＰＳ版１６をＰＳ版洗浄装置１０に取り付けた後、洗浄液塗布ノズル３８によって洗浄液をＰＳ版１６に向かって塗布し、洗浄ブラシ５１を用いて洗浄し、そしてエアノズル４１を用いてＰＳ版１６を液切りする。この際、洗浄液が重力によってＰＳ版１６上を版保持部材２６の面２６ｆ側から面２６ｅ側へ流れるため、汚れを含まない洗浄液を常にＰＳ版１６上に流すことができ、またＰＳ版上の液切りを迅速に行うこともできる。また、回転体２１と版保持部材２６とを高速回転させて洗浄、液切りを行う場合、遠心力によって洗浄液は図４の点線矢印で示すように流れ、同様に迅速な液切りが可能となる。
【００６８】
以上のように本実施の形態によれば、ＰＳ版洗浄装置１０の段取りが容易となり、またＰＳ版１６上で洗浄液の一定方向への流れが生じるので、ＰＳ版１６の洗浄を仕上がりがよくかつ迅速に行うことができる。
【００６９】
なお、本実施の形態において回転体２１と版保持部材２６とを円錐台形状とした例を示したが、これに限らず版保持部材２６のみを円錐台形状とし、回転体２１を円筒形状としてもよい。
【００７０】
また、本実施の形態において版保持部材２６を介してＰＳ版１６を回転体２１内に固定する例を示したが、これに限らずＰＳ版１６を直接回転体２１に固定することができるようにしてもよい。この場合、回転体２１の径の大きい面２１ｅからＰＳ版１６を回転体２１内に収納することができるので、作業性を落とすことなく、ＰＳ版洗浄装置１０の構造を単純化することができる。
【００７１】
【発明の効果】
本発明によれば、洗浄液塗布、洗浄および乾燥の機能を損なうことなく、ＰＳ版洗浄装置を省スペース化することができる。
【図面の簡単な説明】
【図１】本発明によるＰＳ版洗浄装置の第１の実施の形態による斜視図であって便宜的に配管類を省略した図。
【図２】本発明によるＰＳ版洗浄装置の第１の実施の形態による模式図。
【図３】本発明によるＰＳ版洗浄装置の第２の実施の形態による斜視図であって便宜的に配管類を省略した図。
【図４】本発明による第３の実施の形態による回転体と版保持部材とを示す斜視図。
【図５】従来使用されている基板洗浄装置を示す斜視図。
【符号の説明】
１０  ＰＳ版洗浄装置
１１  ケース
１６  ＰＳ版
２１  回転体
２１ｃ  開孔
２４  開閉扉
２４ｃ  開孔
２６  版保持部材
２６ｃ  開孔
３２  配管
３３  ポンプ
３８  洗浄液塗布ノズル
４１  エアノズル
５１  洗浄ブラシ
【図１】
2005041031.tif 000003
【図２】
2005041031.tif 000004
【図３】
2005041031.tif 000005
【図４】
2005041031.tif 000006
【図５】
2005041031.tif 000007